(57)【要約】【課題】球払出装置の着脱操作が容易な遊技機を提供する。【解決手段】遊技球を通出案内する球貯留排出経路部の下流側に回動支持手段を介して回動可能に支持された設置部材３４に、球貯留排出経路部から供給される遊技球を所定数単位で球通出経路部２５に通出させる球払出装置４１ａ,４１ｂを定位置に載置する。そして、前記球貯留排出経路部に配設した保持手段５１により、前記球払出装置４１ａ,４１ｂを載置した前記設置部材３４を、前記球払出装置４１ａ,４１ｂの球通路を前記球貯留排出経路部に連通させる第１状態と、前記球払出装置４１ａ,４１ｂの球通路４６,４７を球貯留排出経路部に対し非連通とさせる第２状態との間で回動可能に保持するようにした。【選択図】図１
2006051399.tif 000002
【特許請求の範囲】
【請求項１】
機裏側の機構セット盤に配設されて遊技球を通出案内する球貯留排出経路部の下流側に、該球貯留排出経路部から供給される遊技球を所定数単位で球通出経路部に通出させる球払出装置を配設した遊技機において、
回動支持手段を介して前記機構セット盤に回動可能に支持され、前記球払出装置を定位置に載置させる設置部材と、
前記球払出装置を載置した前記設置部材を保持する保持手段とからなり、
前記設置部材は、前記球払出装置の球通路を前記球貯留排出経路部に連通させる第１状態と、前記球払出装置の球通路を球貯留排出経路部に対し非連通とさせる第２状態との間で回動可能に構成され、
前記球払出装置は、同一構造を有して前後に重ね合わせられる第１球払出装置および第２球払出装置からなり、第１球払出装置および第２球払出装置の夫々に、前後への重ね合わせ時に密着する一方の外壁面に第１の位置決め部を突設すると共に、反対側の外壁面に該第１の位置決め部が整合する第２の位置決め部を凹設して、第１球払出装置および第２球払出装置は、前記第１の位置決め部と前記第２の位置決め部とを整合させて前後に重ね合わせた姿勢で前記設置部材に載置されるようにした
ことを特徴とする遊技機。
【請求項２】
前記設置部材は、前記保持手段により解除自在に保持され、常には水平に位置する前記第１状態に保持され、解除することで斜め下方に傾斜位置する前記第２状態に回動するようになっている請求項１記載の遊技機。
【請求項３】
前記設置部材は、前記球払出装置を載置させる本体部と、該本体部に形成されて該球払出装置の移動を規制する移動規制手段とを備える請求項１または２記載の遊技機。
【請求項４】
前記移動規制手段として、前記本体部における前記球払出装置の載置面に第１規制部を突設し、該球払出装置の被載置面に形成した係止部を第１規制部に当接させることで、当該球払出装置の移動を規制するようにした請求項３記載の遊技機。
【請求項５】
前記移動規制手段として、前記本体部における前記機構セット盤に近接する背面側に第２規制部を形成すると共に、該本体部の左右側に第３規制部を形成し、これら第２規制部および第３規制部により前記球払出装置の背面側および左右側を抱持して位置規制を行なう請求項３または４記載の遊技機。
【請求項６】
前記球払出装置の前記機構セット盤に対向する第１の外壁面に位置決め部を突設すると共に、該位置決め部を挿通させ得る開口部を前記第２規制部に開設し、該球払出装置を前記設置部材に載置した際に位置決め部が前記開口部に挿通されるようにした請求項５記載の遊技機。
【請求項７】
前記保持手段は、前記球貯留排出経路部に配設されるカバー部材であって、前記設置部材に載置した前記球払出装置の手前側に開放する第２の外壁面を閉成する閉成位置と、該第２の外壁面を開放する開放位置との間で傾動可能となっている請求項１〜６の何れかに記載の遊技機。
【請求項８】
前記設置部材に、前記カバー部材に形成した第１の係合部と係脱可能に係合する第２の係合部が形成され、前記カバー部材を閉成位置まで傾動させた際に、前記第１の係合部が第２の係合部に係合して、前記設置部材を前記第１状態に保持する請求項７記載の遊技機。
【請求項９】
前記カバー部材に、その閉成時に前記第２の外壁面と対向可能な対向面に突部を突設し、該突部に整合する位置決め部を第２の外壁面に凹設するようにした請求項７または８記載の遊技機。
【発明の詳細な説明】
【技術分野】
【０００１】
この発明は、遊技機に関し、更に詳細には、機裏側の機構セット盤に配設した球貯留排出経路部の下流側に球払出装置を配設して、該球貯留排出経路部からの遊技球を球通出経路部に通出させるようにした遊技機に関するものである。
【背景技術】
【０００２】
代表的な遊技機の一例であるパチンコ機は、遊技媒体としてのパチンコ球を機前側に設けた遊技領域に打ち出して、所要のパチンコゲームを行なうよう構成されている。そして、この種のパチンコ機の裏側には、機構セット盤が配設されており、該機構セット盤にパチンコ機全体を制御する主制御装置等の各種制御装置や、パチンコゲームに供されるパチンコ球の流通経路として機能する球貯留排出経路部等が取り付けられている。また、前記機構セット盤における前記球貯留排出経路部の下方には、該球貯留排出経路部の球通路に球入口が連通するよう球払出装置が配設されており、パチンコゲームにおいて所定の条件が成立(セーフ球の発生)すると、該球払出装置が駆動されて球貯留排出経路部に貯留されたパチンコ球(遊技球)を所定数だけ機前側に設けた上球皿または下球皿へ給出するよう構成されている。なお、貸球用のカードおよびカードユニットを利用して球貯留排出経路部のパチンコ球を貸出し得るタイプのパチンコ機(一般に「カード式パチンコ遊技機」ともいう)では、前述した賞球の払出しとは別に、遊技者による球貸し操作に応答して前記球払出装置が駆動されて、該球貯留排出経路部から所定数のパチンコ球(遊技球)が貸球として上球皿へ給出される。
【０００３】
ところで、前記球払出装置を前記機構セット盤に取り付ける取付手段として、該球払出装置の各隅角部を前後方向に貫通するよう複数の通孔を形成し、各通孔に後方側からネジを挿通すると共に、該ネジを機構セット盤に穿設したネジ孔に螺挿する手段が知られている(例えば、特許文献１参照)。また、球払出装置を前記機構セット盤に組付ける別の取付手段として、該機構セット盤における球払出装置の設置部奥側に、複数の係合突部を突設すると共に、該球払出装置における機構セット盤との対向面に、各係合突部と係脱可能に係合する係合片を対応する箇所に形成し、各係合突部と係合片とを係合させることで、球払出装置を機構セット盤に取着する手段も提案されている(例えば、特許文献２参照)。
【特許文献１】特開２００１−３４０５８１号公報
【特許文献２】特開２００１−１７７０１号公報
【発明の開示】
【発明が解決しようとする課題】
【０００４】
前記機構セット盤に前記球払出装置をネジで固定する場合には、両部材を確実に固定でき、前記球貯留排出経路部の球通路に球払出装置の球入口を良好に整列させることができる利点がある。しかしながら、前記球払出装置を機構セット盤に対して着脱するに際しては、別途ドライバ等の工具を使用してネジの締め付け、緩み外しを行なう必要があり、該球払出装置の交換作業が非常に煩雑となる欠点がある。ここで、前述のように機構セット盤の係合突部と球払出装置の係止片とを係脱することで、該球払出装置を取り付ける構成を採用した場合にはこのような不都合は生じない。しかし、前記係合突部および係止片の夫々は、前記機構セット盤と球払出装置における夫々の対向面側に形成されているため、作業者が両部材の係合状態を確認しながら作業することは困難であり、作業効率が悪い欠点がある。このため、前記球払出装置の着脱作業に長時間を要したり、前記係合突部や係止片に無理な力が掛かって損傷する問題が指摘される。
【０００５】
すなわち本発明は、前述した従来の技術に内在している前記課題に鑑み、これを好適に解決するべく提案されたものであって、球払出装置の着脱操作が容易な遊技機を提供することを目的とする。
【課題を解決するための手段】
【０００６】
前記課題を克服し、所期の目的を好適に達成するため、本願の請求項１に係る遊技機は、
機裏側の機構セット盤(G)に配設されて遊技球を通出案内する球貯留排出経路部(14)の下流側に、該球貯留排出経路部(14)から供給される遊技球を所定数単位で球通出経路部(25)に通出させる球払出装置(41a,41b)を配設した遊技機において、
回動支持手段(40)を介して前記機構セット盤(G)に回動可能に支持され、前記球払出装置(41a,41b)を定位置に載置させる設置部材(34)と、
前記球払出装置(41a,41b)を載置した前記設置部材(34)を保持する保持手段(51)とからなり、
前記設置部材(34)は、前記球払出装置(41a,41b)の球通路(46,47)を前記球貯留排出経路部(14)に連通させる第１状態と、前記球払出装置(41a,41b)の球通路(46,47)を球貯留排出経路部(14)に対し非連通とさせる第２状態との間で回動可能に構成され、
前記球払出装置(41a,41b)は、同一構造を有して前後に重ね合わせられる第１球払出装置(41a)および第２球払出装置(41b)からなり、第１球払出装置(41a)および第２球払出装置(41b)の夫々に、前後への重ね合わせ時に密着する一方の外壁面(42)に第１の位置決め部(42a)を突設すると共に、反対側の外壁面(43)に該第１の位置決め部(42a)が整合する第２の位置決め部(43a,43b)を凹設して、第１球払出装置(41a)および第２球払出装置(41b)は、前記第１の位置決め部(42a)と前記第２の位置決め部(43a,43b)とを整合させて前後に重ね合わせた姿勢で前記設置部材(34)に載置されるようにしたことを特徴とする。
【０００７】
請求項２に係る遊技機は、前記設置部材(34)は、前記保持手段(51)により解除自在に保持され、常には水平に位置する前記第１状態に保持され、解除することで斜め下方に傾斜位置する前記第２状態に回動するようになっている。
【０００８】
請求項３に係る遊技機は、前記設置部材(34)は、前記球払出装置(41a,41b)を載置させる本体部(35)と、該本体部(35)に形成されて該球払出装置(41a,41b)の移動を規制する移動規制手段(36,37,38,61)とを備えている。
【０００９】
請求項４に係る遊技機は、前記移動規制手段(36,37,38)として、前記本体部(35)における前記球払出装置(41a,41b)の載置面に第１規制部(38,61)を突設し、該球払出装置(41a,41b)の被載置面に形成した係止部(45)を第１規制部(38)に当接させることで、当該球払出装置(41a,41b)の移動を規制するようにした。
【００１０】
請求項５に係る遊技機は、前記移動規制手段(36,37,38,61)として、前記本体部(35)における前記機構セット盤(G)に近接する背面側に第２規制部(36)を形成すると共に、該本体部(35)の左右側に第３規制部(37)を形成し、これら第２規制部(36)および第３規制部(37)により前記球払出装置(41a,41b)の背面側および左右側を抱持して位置規制を行なうようにした。
【００１１】
請求項６に係る遊技機は、前記球払出装置(41a,41b)の前記機構セット盤(G)に対向する第１の外壁面(42)に位置決め部(42a)を突設すると共に、該位置決め部(42a)を挿通させ得る開口部(39)を前記第２規制部(36)に開設し、該球払出装置(41a,41b)を前記設置部材(34)に載置した際に位置決め部(42a)が前記開口部(39)に挿通されるようにした。
【００１２】
請求項７に係る遊技機は、前記保持手段(51)は、前記球貯留排出経路部(14)に配設されるカバー部材(51)であって、前記設置部材(34)に載置した前記球払出装置(41a,41b)の手前側に開放する第２の外壁面(43)を閉成する閉成位置と、該第２の外壁面(43)を開放する開放位置との間で傾動可能になっている。
【００１３】
請求項８に係る遊技機は、前記設置部材(34)に、前記カバー部材(51)に形成した第１の係合部(54)と係脱可能に係合する第２の係合部(35b)が形成され、前記カバー部材(51)を閉成位置まで傾動させた際に、前記第１の係合部(54)が第２の係合部(35b)に係合して、前記設置部材(34)を前記第１状態に保持するようにした。
【００１４】
請求項９に係る遊技機は、前記カバー部材(51)に、その閉成時に前記第２の外壁面(43)と対向可能な対向面に突部(52b)を突設し、該突部(52b)に整合する位置決め部(43a,43b)を第２の外壁面(43)に凹設するようにした。
【発明の効果】
【００１５】
本発明の請求項１または２に係る遊技機によれば、保持手段により設置部材を第１状態に保持することで、良好に遊技球の払い出しを行ない得ると共に、該保持手段を解除して設置部材を第２状態に回動させることで、球貯留排出経路部と設置部材との間が離間して、球払出装置を容易に着脱することができるから、作業効率の向上を図り得る。また、請求項１に係る発明によれば、全く同一に構成した第１球払出装置および第２球払出装置を相互に密着させ、この状態で設置部材に組付けるようにしたので、一方の球払出装置の作動時の振動が他方の球払出装置に伝わって、相互の球払出装置の球詰まりを好適に解消し得る利点がある。なお、第１球払出装置と第２球払出装置とは同一構成であるから部品の共通化が可能であり、製造コストを低廉に抑えることができる。また第１球払出装置と第２球払出装置とは、設置部材に対して別々に着脱するようになっているので、例えば一方の球払出装置が故障した場合には、この故障した球払出装置のみを脱着交換すればよく、メンテナンス作業が容易となる利点もある。
【００１６】
請求項３〜５に係る発明によれば、球払出装置の移動を規制して確実な遊技球の払い出しを行ない得る。また、請求項６に係る発明によれば、球払出装置に突設した位置決め部を、設置部材の開口部に挿通することで、前後方向の寸法を小さくして小型化することができる。そして、請求項７に係る発明によれば、保持手段としてのカバー部材を傾動させることで、設置部材を解除可能に第１状態に保持でき、解除操作が容易となる。また、請求項８に係る発明によれば、保持手段の第１の係合部と設置部材の第２の係合部とを係脱可能としたので、煩雑な作業を要することなく該設置部材を第１状態に解除可能に保持できる。更に、請求項９に係る発明によれば、設置部材を第１状態に保持した際に、球払出装置の位置決め部にカバー部材の突部が挿通されて、当該球払出装置をより確実に所定位置に保持させ得るようになる。
【発明を実施するための最良の形態】
【００１７】
次に、本発明に係る遊技機につき、好適な実施例を挙げて、添付図面を参照しながら、以下詳細に説明する。なお、本実施例では、遊技機としてパチンコ機を例に挙げて説明するが、遊技機としてはアレンジボール機やパチンコ式スロットマシン機等であってもよい。
【実施例】
【００１８】
(パチンコ機について)
そこで、先ず本実施例に係るパチンコ機について、図２を参照して要約説明する。本実施例のパチンコ機Ｐは、その基本的な概略構成として、外枠Ａの開口前面側に対して中枠Ｂが、連結支持手段Ｅおよび施錠手段(図示せず)を利用して着脱および開放可能に組付けられている。そして中枠Ｂの内外部分には、横開き式のガラス扉を組付けた前枠と、ガラス扉の下部において中枠Ｂに対して着脱および開放可能に組付けられる開閉セット板の前側に上球皿が組付けられると共に、該開閉セット板の後側に電動式の球送り装置(何れも図示せず)等がセットされている。また、前記中枠Ｂの下部に下球皿および打球発射装置Ｈ等が設置されると共に、裏側にパチンコ機Ｐの各種構成部品を取り付ける機構セット盤Ｇ等が装備され、更に該中枠Ｂの後側に設けた保持枠１０の正面内部に、所要の遊技領域を構成した遊技盤が着脱交換可能にセットされる。一方、貸球の払出し制御に必要とされる球貸ユニットＫが、パチンコ機Ｐの側方(外枠Ａの隣接部位)に設置されて各電子制御部と接続されている。
【００１９】
(機構セット盤について)
前記機構セット盤Ｇは、中枠Ｂ裏側に位置する前記遊技盤セット用の保持枠１０の裏側に着脱可能に装備され、該保持枠１０に対応し得る方形サイズに樹脂成形された本体の中央部に遊技盤裏面の点検用の窓口１２が開口され、この窓口１２の上部から右側部に亘る外周囲部に球貯留排出経路部１４等が配設されている。そして、この球貯留排出経路部１４の下側に、カセット形態とされる電動制御式の第１球払出装置４１ａおよび第２球払出装置４１ｂが設置部材３４を介して配設される。また、前記第１および第２球払出装置４１ａ,４１ｂの下方に、前記上球皿または下球皿へ連通する球通出経路部２５(図６または図７参照)が形成されており、前記球貯留排出経路部１４に貯留された所定数のパチンコ球(遊技球)が、これら球払出装置４１ａ,４１ｂの作動により貸球または賞球として球通出経路部２５に給出されるようになっている。
【００２０】
なお、機構セット盤Ｇのその他の構成として、前記窓口１２の下方に、球抜き装置,賞球満杯検出装置および貸球用の検出スイッチ(何れも図示せず)等が夫々設置され、そして本体の上方隅端部にターミナル基板１５(集中基盤ともいう)が設置されている。また前記窓口１２の下方背面には、パチンコ機Ｐを全体的に制御するメイン基板を収容した主制御装置１６や、前記打球発射装置Ｈを制御する発射制御装置１７、前記第１および第２球払出装置４１ａ,４１ｂを制御する払出制御装置１８等の各種部品が設置固定される。なお、以下の説明において、前・後および左・右とは、図２に示すようにパチンコ機Ｐを裏面側から見た状態で指称するものとする。
【００２１】
(球貯留排出経路部について)
前記球貯留排出経路部１４は、機構セット盤Ｇの上部に上方開口状態で設置される球容器２２(「球タンク」とも云う)と、この球容器２２底面の下流端に開口された球出口(図示せず)に合わせた下部に取着される斜状レール形の整流路部２３と、左右蛇行状に形成されて前記整流路部２３の下流端に連絡するように取着される球送出路部２４とから構成され、相当量(例えば５００個程度)のパチンコ球を貯留球として一時的に貯留し得るようになっている。更に、実施例のパチンコ機Ｐでは、前記球送出路部２４は、図２または図３に示す如く、上側の球案内部材２６と下側の球通出ユニット２７とに分割され、夫々が機構セット盤Ｇに独立して着脱可能に装着される。
【００２２】
なお、前記整流路部２３は、図３に示すように、幅方向中央部で上方へ突出しかつ長手方向へ延在する仕切板２１により、パチンコ球を２列の整列状態で球送出路部２４へ送出案内する第１整流路２３ａおよび第２整流路２３ｂを前後に並設した「２条タイプ」に構成されている。また、前記球送出路部２４には、前記球案内部材２６内から球通出ユニット２７内に亘り、前記第１整流路２３ａに連通する第１球送出路２８および前記第２整流路２３ｂに連通する第２球送出路２９が前後に並列的に画成してある。すなわち、第１整流路２３ａおよび第２整流路２３ｂを夫々流下したパチンコ球は、整列されながら対応の第１球送出路２８および第２球送出路２９に流入し、球通出ユニット２７の下部に開口する第１球送出口２８ａおよび第２球送出口２９ａ(図６または図７参照)から通出するようになっている。なお、前記第１球送出路２８および第２球送出路２９は左右蛇行状に形成されると共に、前記球通出ユニット２７において両球送出路２８,２９の経路途中から球抜き路３０が形成されて、図示しない球抜き孔を介して外部に連通している。
【００２３】
また、前記第１球送出路２８の底面に開口する第１球送出口２８ａおよび第２球送出路２９の底面に開口する第２球送出口２９ａの夫々に臨む位置に、パチンコ球の通出を規制し得る通出規制部材３１が配設され、両球送出路２８,２９と前記球抜き路３０との分岐点に、パチンコ球の流下する通路を切り換える通出切換部材３２が設置され、各部材３１,３２の把持部３１ａ,３２ａにより前側から切り換え操作し得るよう構成されている。このうち、前記通出規制部材３１は、常には前記第１および第２球送出口２８ａ,２９ａを開放してパチンコ球の通出を許容すると共に、該通出規制部材３１の切り換え操作により、第１球送出路２８および第２球送出路２９の一部を閉塞してパチンコ球の通出を同時に規制するものである。また、前記通出切換部材３２は、常には前記球通出ユニット２７を流下するパチンコ球の前記球抜き路３０への通出を規制して各球払出装置４１ａ,４１ｂ側に向けて通出案内すると共に、該通出切換部材３２の切り換え操作により、該球抜き路３０を開放すると共に各球払出装置４１ａ,４１ｂ側への通出を規制して、前記球抜き孔を介してパチンコ球を機外へ排出するよう構成される。なお、図１または図３に示すように、前記球通出ユニット２７の手前側下方位置に、左右方向に離間して支持部２７ａ,２７ａが形成され、後述するカバー部材(保持手段)５１が傾動可能に枢支されている。
【００２４】
(設置部材について)
前記設置部材３４は、図４に示すように、前記第１および第２球払出装置４１ａ,４１ｂを載置する平板状の本体部３５と、該本体部３５に載置した該球払出装置４１ａ,４１ｂの前後および左右方向への移動を規制する移動規制手段３６,３７,３８とから基本的に構成され、回動支持手段４０(図６または図７参照)を介して前記機構セット盤Ｇに回動可能に支持される(図６または図７参照)。前記回動支持手段４０としては、前記本体部３５の後端部近傍において左右両側方に向かって突設される軸部４０ａ(図４において右側に位置するもののみ図示)と、前記機構セット盤Ｇに形成されて該軸部４０ａを枢支する軸孔(図示せず)とから構成されており、当該軸部４０ａ,４０ａを中心として、前記設置部材３４が水平に位置する第１状態と、斜め下方に傾斜する第２状態との間を回動し得るようになっている(図６および図７参照)。なお、前記設置部材３４の前部は、後述するカバー部材５１の係止フック(第１の係合部)５４と係脱可能に係合し得る係合部(第２の係合部)３４ｂが形成されており、該係止フック５４と係合部３４ｂとを係合することで、該設置部材３４が前記第１状態に保持される。また、前記設置部材３４を第１状態に保持した際に、該設置部材３４における前記第１および第２球払出装置４１ａ,４１ｂを載置する載置面３５ａと、前記球通出ユニット２７の下面との離間寸法は、該球払出装置４１ａ,４１ｂの上下方向の長さ寸法より僅かに大きく設定されている。すなわち、設置部材３４を前記第２状態に回動するに際し、球払出装置４１ａ,４１ｂの後端部側が球通出ユニット２７の底面に接触しないよう構成される。
【００２５】
前記本体部３５は、略矩形状に形成されて、前記設置部材３４を第１状態に保持した際に、前記球通出ユニット２７の第１球送出口２８ａおよび第２球送出口２９ａの夫々と上下に整列する位置に、第１球通孔３５ｂおよび第２球通孔３５ｃが形成されており、該第１球通孔３５ｂおよび第２球通孔３５ｃの下方に前記球通出経路部２５が臨んでいる。また、前記本体部３５の下面において前記第２球通孔３５ｃと対応する部位には、該第２球通孔３５ｃを通出したパチンコ球を前記球通出経路部２５に向けて案内する案内部３４ａが形成され、前記設置部材３４を前記第２状態に回動した際に、該案内部３４ａが球通出経路部２５の上端部に当接して、該設置部材３４が前記第２状態で回動規制されるようになっている(図７参照)。なお、前記係合部３４ｂは、前記案内部３４ａの前側に形成されている。
【００２６】
図４に示すように、前記本体部３５の左右両側縁部には、上方に延出する側壁部(第３規制部)３７,３７が形成されると共に、両側壁部３７,３７の後端部側(本体部３５における機構セット盤Ｇに近接する背面側)には、その上部位置に後壁部(第２規制部)３６が架設されて、前記載置面３５ａに載置した球払出装置４１ａ,４１ｂの背面側および左右両側を抱持するよう構成される。なお、前記後壁部３６と前記本体部３５との間には隙間(開口部)３９が形成されて、該本体部３５に載置した前記第１球払出装置４１ａの後述する円形突部(第１の位置決め部)４２ａを挿通可能に構成されている。また、前記両側壁部３７,３７の前端縁には、その上部位置に前方に向かって延出した第１係止片３７ａ,３７ａが、前記カバー部材５１により設置部材３４を第１状態に保持した際に、該カバー部材５１の第２係止片５５,５５(後述)と係合して支持されるようになっている。更に、前記本体部３５の載置面３５ａには、前記各側壁部３７に近接する位置に、前記第２球払出装置４１ｂの後述する延出部(係止部)４５が後側から当接する突起部(第１規制部)３８,３８を突設してある。
【００２７】
(球払出装置)
前記第１球払出装置４１ａおよび第２球払出装置４１ｂは、前後に重ね合わせ得る同一構造に形成されたものであって、図５に示す如く、略矩形箱体状に形成された合成樹脂製のケース内に、図示しない電動式の球払出し機構部等が収容されて、夫々の球払出装置４１ａ,４１ｂを単一のユニットとして取扱い得るようになっている。ここで、前記第１球払出装置４１ａおよび第２球払出装置４１ｂは、第２球払出装置４１ｂにおける後面部(第１の外壁面)４２を第１球払出装置４１ａにおける前面部(第２の外壁面)４３に重ね合わせた姿勢で、第１球払出装置４１ａの後面部(第１の外壁面)４２が前記機構セット盤Ｇに近接(設置部材３４の後壁部３６に対向)するよう前記設置部材３４の載置面３５ａに載置される。
【００２８】
また、図５に示す如く、前記第１および第２球払出装置４１ａ,４１ｂの４つの角部における下方に位置する２つの角部と上方に位置する一つの角部には、各球払出装置４１ａ,４１ｂの前端部から後端部近傍まで延在する第１凹部(第２の位置決め部)４３ａが凹設されると共に、上方に位置する残りの角部には、所要長さだけ前方から後方に延在する第２凹部(第２の位置決め部)４３ｂが凹設されている。すなわち、前記第１および第２球払出装置４１ａ,４１ｂにおける前記各第１凹部４３ａにおける後方位置には、該第１凹部４３ａ側に延出する延出部４５が形成される。また、前記第１球払出装置４１ａおよび第２球払出装置４１ｂにおける後面部４２における４つの隅角部近傍には、前記第１凹部４３ａおよび第２凹部４３ｂの夫々と整合する位置に、各凹部４３ａ,４３ｂに挿入可能な円形突部４２ａが夫々突設されている。
【００２９】
すなわち、前記第１および第２球払出装置４１ａ,４１ｂは、後面部４２側の所要位置に第１の位置決め部としての円形突部４２ａが突設され、他方の前面部４３側に該円形突部４２ａが整合可能な第１および第２凹部４３ａ,４３ｂが凹設され、両球払出装置４１ａ,４１ｂを前後方向の縦列状態で同一向きに相互に密着した際に、各第１および第２凹部４３ａ,４３ｂと、各円形突部４２ａとが係合して上下、左右方向の位置決めがなされる。なお、前記第１および第２球払出装置４１ａ,４１ｂを設置部材３４に載置した際に、該設置部材３４に形成した前記突起部３８,３８に、第２球払出装置４１ｂに形成した延出部４５が後方から当接して前側への位置規制がなされ、当該設置部材３４を第２状態に回動した際には、球払出装置４１ａ,４１ｂの脱落を防止している。
【００３０】
また、前記第１および第２球払出装置４１ａ,４１ｂを載置した前記設置部材３４を第１状態に保持した際に、該第１球払出装置４１ａに形成された第１球通路４６が、前記球通出ユニット２７の第１球送出口２８ａおよび設置部材３４の第１球通孔３５ｂに夫々連通し、前記第２球払出装置４１ｂに形成された第２球通路４７が、該球通出ユニット２７の第２球送出口２９ａおよび設置部材３４の第２球通孔３５ｃに夫々連通する。すなわち、前記払出制御装置１８からの賞球払出制御信号に応じて前記第１球払出装置４１ａが駆動されたときには、前記第１球送出路２８を通出するパチンコ球を賞球として払い出すと共に、貸球払出制御信号に応じて前記第２球払出装置４１ｂが駆動されたときには、前記第２球送出路２９を通出するパチンコ球を貸球として払い出すよう構成されている。
【００３１】
(カバー部材)
前記カバー部材５１は、前記第１状態に前記設置部材３４を解除可能に保持するものであって、図１または図３に示すように、前記第２球払出装置４１ｂの前面部４３を被覆し得る略矩形板状の平面部５２に、その平行な左右両側縁部から該側縁部に直交する側面部５３,５３が延出して、両側面部５３,５３の端部近傍に突設した軸部(図示せず)が前記球通出ユニット２７の支持部２７ａ,２７ａに枢着されている。すなわち、前記カバー部材５１は、下方に垂れ下がって前記第２球払出装置４１ｂの前面部４３を覆い、前記設置部材３４を前記第１状態に保持する閉成位置(図６参照)と、上方に持ち上げられて該前面部４３を開放する開放位置(図７参照)との間で傾動するようになっている。なお、前記カバー部材５１の平面部５２には、前記球通出ユニット２７における通出規制部材３１の把持部３１ａを挿通可能な窓部５２ａが開設されており、該カバー部材５１を前記開放位置に傾動させた際に、該窓部５２ａを画成する縁部が該把持部３１ａに嵌合して該開放位置に保持するよう構成されている(図示せず)。
【００３２】
前記カバー部材５１における前記軸部から離間する端縁部には、弾性変形可能な係止フック５４が形成される。そして、前記カバー部材５１を前記閉成位置に傾動した際に、前記設置部材３４の係合部３４ｂと係脱可能に係合するよう構成されており、該係止フック５４と係合部３４ｂとを係合することで、該設置部材３４は前記第１状態に保持される。また、前記両側面部５３,５３における前記カバー部材５１の軸部から離間する端部には、前記閉成位置に傾動した際に、前記設置部材３４の第１係止片３７ａ,３７ａの下側に係合可能な第２係止片５５,５５が、後方(機構セット盤Ｇ側)に向かって形成されて、該第１係止片３７ａ,３７ａと第２係止片５５,５５とを係合することで、前記設置部材３４を支持するよう構成される。なお、前記カバー部材５１における平面部５２の裏面(閉成位置に回動した際に第２球払出装置４１ｂと対向する対向面)には、前記第２球払出装置４１ｂの第１および第２凹部４３ａ,４３ｂと前後に整列する位置に後方に向かって突出する突部５２ｂが夫々形成されており(図６,図７参照)、閉成位置において各突部５２ｂが第１および第２凹部４３ａ,４３ｂの夫々に挿入されて該第２球払出装置４１ｂの上下、左右方向の位置規制を行なうようになっている。
【００３３】
〔実施例の作用〕
次に、本実施例に係る遊技機の作用につき説明する。前記設置部材３４に第１球払出装置４１ａおよび第２球払出装置４１ｂを載置した状態で、該設置部材３４を第１状態に保持し、前記球通出ユニット２７の通出規制部材３１を操作して該ユニット２７の第１球送出路２８および第２球送出路２９の通出規制を解除する。この状態で、機外部から前記球容器２２に供給されたパチンコ球は、前記球整流路部２３の第１整流路２３ａおよび第２整流路２３ｂを通過して前記球案内部材２６や球通出ユニット２７に順次流入し、前記第１および第２球送出路２８,２９を介して前記第１および第２球払出装置４１ａ,４１ｂまでの経路に貯留される。そして、前記払出制御装置１８からの賞球払出制御信号に応じて前記第１球払出装置４１ａが駆動されたり、貸球払出制御信号に応じて前記第２球払出装置４１ｂが駆動されることで、上球皿や下球皿にパチンコ球が給出される。
【００３４】
ここで、前記設置部材３４は、前記閉成位置に傾動した前記カバー部材５１の係止フック５４と、該設置部材３４の係合部３４ｂとを係合するだけで前記第１状態に保持し得るから、簡単な操作で当該設置部材３４を第１状態に保持できると共に、該係合部位は作業者側に露出しているから、作業者は目視しながら容易に操作できる。また、前記設置部材３４とカバー部材５１とは、側部に設けた第１係止片３７ａ,３７ａと第２係止片５５,５５とが係合することでも、該設置部材３４の回動を規制しているから、より確実に設置部材３４を第１状態に保持することができる。更に、前記設置部材３４を第１状態に保持した際に、該設置部材３４と前記球通出ユニット２７との間の距離は、前記第１および第２球払出装置４１ａ,４１ｂの上下の長さ寸法と略同等に設定してあるから、該球払出装置４１ａ,４１ｂをガタツクことなく安定して載置面３５ａに載置保持できる。また、球払出装置４１ａ,４２ａの球通出ユニット２７との間の隙間を小さくしてあるから、該隙間で球詰まり等することなく、第１および第２球送出路２８,２９から対応する第１および第２球通路４６,４７に、パチンコ球を良好に流通させ得る。
【００３５】
更にまた、前記設置部材３４に載置した前記第１および第２球払出装置４１ａ,４１ｂの夫々は、前記側壁部３７,３７および後壁部３６により背面側および左右両側が抱持されているから、該球払出装置４１ａ,４１ｂの後および左右方向への移動が規制される。また、前記突起部３８に第２球払出装置４１ｂの延出部４５が後方から当接して両球払出装置４１ａ,４１ｂの前方への移動が規制され、該球払出装置４１ａ,４１ｂを前記設置部材３４から脱落させることなく、確実に所定位置に保持し得る(図６参照)。更に、前記第１および第２球払出装置４１ａ,４１ｂの移動を規制することで、前記球通出ユニット２７の第１および第２球送出路２８,２９の夫々に、該球払出装置４１ａ,４１ｂの球通路４６,４７を常に整列させ得るから、球詰まりや球の払い出し不良等の不具合を生ずることはなく、パチンコ球を安定して払い出すことができる。なお、前記第２球払出装置４１ｂの前面部４３は、前記カバー部材５１で被覆されているので、第１および第２球払出装置４１ａ,４１ｂの前方移動をより確実に防止し得ると共に、カバー部材５１を閉成位置に傾動した際に、当該カバー部材５１に形成した突部５２ｂが該第２球払出装置４１ｂの前記第１および第２凹部４３ａ,４３ｂに挿通されるので、第２球払出装置４１ｂの左右方向の移動もより確実に防止できる。
【００３６】
次に、前記第１および第２球払出装置４１ａ,４１ｂを交換するに際して、前記カバー部材５１の係止フック５４と設置部材３４の係合部３４ｂとの係合を解除し、該カバー部材５１を閉成位置から前記開放位置に傾動すると、当該設置部材３４は自重により回動して、前記案内部３４ａが球通出経路部２５に当接して斜め下方に傾斜する第２状態に保持され、前記球通出ユニット２７と設置部材３４の前端部との間が大きく離間して開放される(図７参照)。このため、先ず前記第２球払出装置４１ｂを上方に持ち上げて、前記設置部材３４の突起部３８と該第２球払出装置４１ｂの延出部４５との係合を解除することで、該設置部材３４から容易に取り外すことができる。ここで、前述の如く前記カバー部材５１と設置部材３４との係合部位は作業者側に露出しているから、作業者は目視しながら容易に操作可能である。なお、前記第２球払出装置４１ｂを上方に持ち上げた際に、前記第１球払出装置４１ａの下方に位置する第１凹部４３ａに、該第２球払出装置４１ｂの円形突部４２ａが挿通されているから、該第１球払出装置４１ａの前側も上方に持ち上げられて傾斜することになるが、前記球通出ユニット２７との間が大きく開放しているので、取り外し作業が阻害されることはない。
【００３７】
また、前記第２球払出装置４１ｂを前記設置部材３４から取り外すと、図７に示す如く、前記第１球払出装置４１ａが該設置部材３４の傾斜に沿って前方に移動するが、前記突起部３８に延出部４５が当接することで脱落は防止される。また、前記第２球払出装置４１ｂを取り外せば、後側(奥側)に位置する前記第１球払出装置４１ａが作業者側に近接移動し、効率的に作業を行なうことが可能となる。
【００３８】
なお、前記第１および第２球払出装置４１ａ,４１ｂを取付けるに際しては、両球払出装置４１ａ,４１ｂを前後に重ね合わせた状態で、第１球払出装置４１ａの円形突部４２ａを前記設置部材３４の隙間３９に挿通すると共に、第２球払出装置４１ｂの延出部４５を設置部材３４の突起部３８の後方に位置させて載置面３５ａに載置する。このとき、前記球通出ユニット２７と設置部材３４の前端部との間が大きく離間して開放しているから、該開放部位の前側から前記球払出装置４１ａ,４１ｂを挿入して前記載置面３５ａに容易に載置することが可能である。そして、前記設置部材３４を持ち上げて回動すると共に、前記カバー部材５１を傾動させて、前記係止フック５４を係合部３４ｂに係合させることで、当該設置部材３４を第１状態に保持することができる。
【００３９】
このように、ネジ等を使用することなく、前記カバー部材５１の係止フック５４と設置部材３４の係合部３４ｂとを係合または係合解除することで、該設置部材３４を第１状態と第２状態との間で回動し、前記第１球払出装置４１ａおよび第２球払出装置４１ｂの夫々を着脱することができるから、部品点数を減少させて作業性の向上を図り得る。また、前記係止フック５４と係合部３４ｂとの係合部位を作業者側に設けてあるので、両部材５４,３４ｂの係合・解除操作を容易になし得る。
【００４０】
また実施例では、前後方向の縦列状態で相互に密着して組付けた第１球払出装置４１ａおよび第２球払出装置４１ｂの何れか一方が故障した場合、故障した球払出装置４１ａ(４１ｂ)のみを新品に交換し、故障していない他方の球払出装置４１ｂ(４１ａ)はそのまま継続使用することができるので、保守・管理費用を低減し得る。第１球払出装置４１ａおよび第２球払出装置４１ｂは、前記各円形突部４２ａと第１および第２凹部４３ａ,４３ｂとを正しく整合させるだけで、夫々の球払出装置４１ａ,４１ｂを同一向きで正確に組付けることができ、位置決めの容易化および正確化を図り得る。また、第１球払出装置４１ａおよび第２球払出装置４１ｂを前後方向の縦列状態に相互に密着させて重ねて組付けるようにすることにより、一方の球払出装置４１ａ(４１ｂ)に球詰まりが発生した場合は、他方の球払出装置４１ｂ(４１ａ)の作動時の振動が伝わって、球詰まりを好適に解消し得る。そして、第１球払出装置４１ａと第２球払出装置４１ｂとは同一の構成とすることで、部品を共通化して製造コストを低廉に抑えることができる。
【００４１】
なお、前記設置部材３４の本体部３５と後壁部３６との間に形成した隙間２９に、該設置部材３４の載置面３５ａに載置した前記第１球払出装置４１ａの円形突部４２ａを挿入するよう構成したから、当該設置部材３４の前後方向の寸法を小さくすることができる。また、前記隙間２９に前記円形突部４２ａを挿通することで、該第１球払出装置４１ａの上方移動を規制して安定した球の払い出しが可能である。
【００４２】
〔変更例〕
なお、球払出装置を載置する設置部材の構成としては、実施例のものに限らず、種々の変更が可能である。例えば、実施例では、前記設置部材の載置面に、第１規制部を突設して球払出装置の手前側への移動を規制するようにしたが、その他構成を採用することもできる。例えば、図８(a)に示すように、設置部材３４の本体部３５に、前方から後方に向かうにつれて上方に傾斜する爪部６１を備えて上下方向に弾性変形可能なフック部６０を形成するよう構成しても、該爪部６１に第２球払出装置４１ｂの延出部４５が当接することで所定位置に位置規制し得る。また、図８(b)に示すように、球払出装置４１ａ,４１ｂを前方から移動すると、該球払出装置４１ａ,４１ｂの円形突部４２ａが前記爪部６１に当接した際に該爪部６１が下方に押圧されて、前記フック部６０が下方に弾性変形するため、該球払出装置４１ａ,４１ｂを載置面３５ａに容易に載置させることができる。なお、図８において、実施例と同一の部材には、同一の符号を付してある。また、弾性変形するフック部６０に換えて、前記爪部６１をバネ等の弾性部材で上下に変位するよう構成してもよい。
【００４３】
また、前記球払出装置を前記設置部材に載置した際に、前記第１規制部の背面側に第２球払出装置の係止部が離間して位置するよう構成し、設置部材を第２状態に回動した際に、両球払出装置が作業者側に移動するよう構成すれば、手前側に位置する第２球払出装置の取り外し作業をよりスムーズに行な得るようになる。更に、実施例のように、球払出装置の手前側への移動を規制する他部材(実施例ではカバー部材)を備える場合には、前記第１規制部を省略することも可能である。なお、前記設置部材に載置する球払出装置の個数は、２つに限られるものではなく、１つあるいは３つ以上であってもよい。
【００４４】
そして、前記設置部材に載置した球払出装置を、第２規制部および第３規制部で抱持して、該球払出装置の背面側および左右両側への移動を規制するよう構成したが、位置規制可能な構成であれば、従来公知の各種手段を採用することができる。なお、前記設置部材の第２規制部に形成する開口部の形状としては、前記球払出装置に形成した第１の位置決め部が挿通可能な形状であれば、各第１の位置決め部と前後に整列する部位を凹設させることでもよい。また、前記設置部材を回動可能に支持する回動支持手段として、該設置部材に形成される軸部と、機構セット盤に形成した軸孔とから構成するようにしたが、設置部材に軸孔を形成し、機構セット盤に軸部を形成して枢支してもよく、当該設置部材を第１状態と第２状態との間で回動し得るよう構成すればよい。
【００４５】
なお、前記設置部材を第１状態に保持する保持手段としては、実施例の如くカバー部材に限られるものでなく、該設置部材を第１状態に解除自在に保持し得る構成であれば何れの手段であっても採用できる。このときに、球払出装置の移動を規制する移動規制手段は、前記設置部材または保持手段の何れに形成してもよい。そして、前記保持手段を配設する部位としては、前記球貯留排出経路部に限られず、該設置部材に配設して球貯留排出経路部と接続可能にしてもよく、更には球通出経路部に配設して、当該設置部材を下側から支持して第１状態に保持するようにしてもよい。また、前記球通出経路部に前記設置部材が当接して第２状態に保持されるよう構成したが、該第２状態に設置部材を解除自在に保持し得る第２の保持手段を備えるよう構成することもできる。
【図面の簡単な説明】
【００４６】
【図１】本発明の実施例に係る設置部材を第１状態に保持した状態で示す斜視図である。
【図２】実施例に係る遊技機を示す背面図である。
【図３】実施例に係る機構セット盤に設置部材を取り付け、該機構セット盤から球通出ユニットを取り外すと共に、２基の球払出装置を前後方向の縦列状態に組付けた状態を示す斜視図である。
【図４】実施例に係る設置部材を示す斜視図である。
【図５】実施例に係る第１および第２球払出装置を示す斜視図である。
【図６】実施例に係るカバー部材を閉成位置に傾動して設置部材を第１状態に保持した状態を示す縦断側面図である。
【図７】実施例に係るカバー部材を開放位置に傾動して設置部材を第２状態に保持した状態を示す縦断側面図である。
【図８】変更例に係る設置部材を示す縦断側面図であり、(a)は載置面に第１および第２球払出装置を載置した状態を示し、(b)は設置部材のフック部が、第１球払出装置の円形突部により押圧されて下方に弾性変形した状態を示す。
【符号の説明】
【００４７】
１４  球貯留排出経路部
２５  球通出経路部
３４  設置部材
３４ｂ  係合部(第２の係合部)
３５  本体部
３６  後壁部(移動規制手段、第２規制部)
３７  側壁部(移動規制手段、第３規制部)
３８  突起部(移動規制手段、第１規制部)
３９  隙間(開口部)
４０  回動支持手段
４１ａ  第１球払出装置
４１ｂ  第２球払出装置
４２  後面部(第１の外壁面)
４２ａ  円形突部(第１の位置決め部)
４３  前面部(第２の外壁面)
４３ａ  第１凹部(第２の位置決め部)
４３ｂ  第２凹部(第２の位置決め部)
４５  延出部(係止部)
４６  第１球通路
４７  第２球通路
５１  カバー部材(保持手段)
５２ｂ  突部
５４  係止フック(第１の係合部)
６１  爪部(移動規制手段、第１規制部)
Ｇ  機構セット盤
【図１】
2006051399.tif 000003
【図２】
2006051399.tif 000004
【図３】
2006051399.tif 000005
【図４】
2006051399.tif 000006
【図５】
2006051399.tif 000007
【図６】
2006051399.tif 000008
【図７】
2006051399.tif 000009
【図８】
2006051399.tif 000010